(57)【要約】      （修正有）【課題】前面に設けた化粧材等が、壁紙を貼付ける際の接着剤や作業道具で汚れたり傷つくことのない埋込式の壁収納ボックスおよび当該壁収納ボックスの取付け方法を提供する。【解決手段】建物の壁２に埋込式に設けられる壁収納ボックスであって、前面開口部が壁２から露出した状態で取付けられるボックス本体１１と、化粧枠１４の一方端部に、ガラス扉１５の一方端部をヒンジ１６によって開閉自在に結合し、化粧枠１４の中央開口部を開閉自在とした蓋体１３とで構成され、蓋体１３は、ボックス本体１１の前面に、ボックス本体１１が取付けられた後に金具によって着脱自在に取付けられる。【選択図】図１
2005061153.tif 000002
【特許請求の範囲】
【請求項１】
建物の壁に埋込式に設けられる壁収納ボックスであって、
前面開口部が壁から露出した状態で取付けられるボックス本体と、
化粧枠の一方端部に、扉の一方端部をヒンジによって開閉自在に結合し、該化粧枠の中央開口部を開閉自在とした蓋体とで構成され、
前記蓋体は、前記ボックス本体の前面に、該ボックス本体が取付けられた後に、着脱自在に取付けられるものであることを特徴とする壁収納ボックス。
【請求項２】
前記ボックス本体は、壁内に設けられた間柱に取付けられるものであり、その前面は壁面と略面一に設定されるものであり、かつ、前記蓋体は、前記ボックス本体の前面よりフランジ状に突出した状態で設定され、その四方端部が壁面または壁紙を覆うものであることを特徴とする請求項１に記載の壁収納ボックス。
【請求項３】
前面開口部を有するボックス本体と、化粧枠の一方端部に、扉の一方端部をヒンジによって開閉自在に結合し、該化粧枠の中央開口部を開閉自在とした蓋体とで構成される壁収納ボックスを建物の壁に取付ける方法であって、
前記ボックス本体を、壁に埋め込んだ状態で取付けると共に、その前面開口部を壁から露出させ、
壁面に壁紙を貼り付けた後、前記蓋体を、前記ボックス本体の前面に着脱自在に取付けてなることを特徴とする壁収納ボックスの取付け方法。
【請求項４】
前記ボックス本体を、その前面が壁面と略面一となるように壁内に設けられた間柱に取付け、かつ、前記蓋体を、前記ボックス本体の前面よりフランジ状に突出した状態で設定し、その四方端部で壁紙を覆ってなることを特徴とする請求項３に記載の壁収納ボックスの取付け方法。
【請求項５】
前面開口部を有するボックス本体と、化粧枠の一方端部に、扉の一方端部をヒンジによって開閉自在に結合し、該化粧枠の中央開口部を開閉自在とした蓋体とで構成される壁収納ボックスを建物の壁に取付ける方法であって、
壁紙が貼り付けられた壁に、前記ボックス本体を嵌め込み可能な開口穴を設け、その開口穴に前記ボックス本体を、壁に埋め込んだ状態で取付けると共に、そのボックス本体の前面開口部を壁から露出させ、
前記蓋体を、前記ボックス本体の前面よりフランジ状に突出した状態で設定し、その四方端部で壁紙を覆う状態で、前記ボックス本体の前面に着脱自在に取付けてなることを特徴とする壁収納ボックスの取付け方法。
【発明の詳細な説明】
【技術分野】
【０００１】
本発明は、建物の壁に埋込式に設けられ、内部に置物等を載置する壁収納ボックスおよびその取付け方法に関するものである。
【背景技術】
【０００２】
建物の限られた居住空間を有効利用するためや、屋内の装飾性を高めるために、壁に置物等を載置するための収納ボックスを埋め込むことが考えられる。
従来、消化器を収納するための収納箱を壁に埋め込んだものが創案されている（例えば、特許文献１参照）。
【特許文献１】実用新案登録第３０４９９１９号公報
【０００３】
この収納箱は、箱本体の前側に化粧前枠部を鉤折り段状（フランジ状）に一体成形するとともに、箱本体の前面に透明ガラスを取付けた化粧扉をヒンジ金具で結合して構成し、その箱本体だけを壁内に埋め込むので、居住空間を有効利用できる等の利点がある。
【発明の開示】
【発明が解決しようとする課題】
【０００４】
しかしながら、この従来の収納箱は、化粧前枠部を外側に露出させ箱本体だけを壁内に埋め込み、箱本体の前面に化粧扉をヒンジ結合しているので、例えば、新築中の家屋の壁に埋め込む際には、埋め込んだ後に壁紙を貼り付けるが、化粧前枠部や化粧扉をその壁紙用の接着剤で汚したり、作業道具で傷付けてしまうといった問題が発生する。
【０００５】
一旦付着した接着剤は完全には落とすことができず、また、傷も修復することができないので、化粧扉を交換する必要が生じる。一方、化粧前枠部に接着剤や傷がついた場合に化粧前枠部は、箱本体に一体成形されているので化粧前枠部だけを交換することはできない。また、ヒンジ金具を固定しているビスを一旦取外し、同じビス穴にビスを再び螺入する必要があるので、ビスが弛み易く、従って、交換した化粧扉を強固に固定することができないといった問題が生じる。
【０００６】
そこで、本発明の目的とするところは、前面に設けた化粧材等が、壁紙を貼付ける際の接着剤や作業道具で汚れたり傷つくことのない埋込式の壁収納ボックスおよび当該壁収納ボックスの取付け方法を提供することを課題とする。
【課題を解決するための手段】
【０００７】
上記の目的を達成するために、本発明の請求項１に記載の壁収納ボックスは、建物の壁（２）に埋込式に設けられる壁収納ボックスであって、前面開口部が壁（２）から露出した状態で取付けられるボックス本体（１１）と、化粧枠（１４）の一方端部に、扉（１５）の一方端部をヒンジ（１６）によって開閉自在に結合し、当該化粧枠（１４）の中央開口部を開閉自在とした蓋体（１３）とで構成され、前記蓋体（１３）は、前記ボックス本体（１１）の前面に、当該ボックス本体（１１）が取付けられた後に、着脱自在に取付けられるものであることを特徴とする。
【０００８】
また、請求項２に記載の発明は、前記ボックス本体（１１）は、壁（２）内に設けられた間柱（１）に取付けられるものであり、その前面は壁面（２ａ）と略面一に設定されるものであり、かつ、前記蓋体（１３）は、前記ボックス本体（１１）の前面よりフランジ状に突出した状態で設定され、その四方端部が壁面（２ａ）または壁紙（３）を覆うものであることを特徴とする。
【０００９】
本発明の請求項３に記載の壁収納ボックスの取付け方法は、前面開口部を有するボックス本体（１１）と、化粧枠（１４）の一方端部に、扉（１５）の一方端部をヒンジ（１６）によって開閉自在に結合し、当該化粧枠（１４）の中央開口部を開閉自在とした蓋体（１３）とで構成される壁収納ボックス（１０）を建物の壁（２）に取付ける方法であって、前記ボックス本体（１１）を、壁（２）に埋め込んだ状態で取付けると共に、その前面開口部を壁（２）から露出させ、壁面（２ａ）に壁紙（３）を貼り付けた後、前記蓋体（１３）を、前記ボックス本体（１１）の前面に着脱自在に取付けてなることを特徴とする。
【００１０】
また、請求項４に記載の発明は、前記ボックス本体（１１）を、その前面が壁面（２ａ）と略面一となるように壁（２）内に設けられた間柱（１）に取付け、かつ、前記蓋体（１３）を、前記ボックス本体（１１）の前面よりフランジ状に突出した状態で設定し、その四方端部で壁紙（３）を覆ってなることを特徴とする。
【００１１】
また、請求項５に記載の発明は、前面開口部を有するボックス本体（１１）と、化粧枠（１４）の一方端部に、扉（１５）の一方端部をヒンジ（１６）によって開閉自在に結合し、当該化粧枠（１４）の中央開口部を開閉自在とした蓋体（１３）とで構成される壁収納ボックス（１０）を建物の壁（２）に取付ける方法であって、壁紙（３）が貼り付けられた壁（２）に、前記ボックス本体（１１）を嵌め込み可能な開口穴を設け、その開口穴に前記ボックス本体（１１）を、壁（２）に埋め込んだ状態で取付けると共に、そのボックス本体（１１）の前面開口部を壁（２）から露出させ、前記蓋体（１３）を、前記ボックス本体（１１）の前面よりフランジ状に突出した状態で設定し、その四方端部で壁紙（３）を覆う状態で、前記ボックス本体（１１）の前面に着脱自在に取付けてなることを特徴とする。
【００１２】
なお、カッコ内の記号は、図面および後述する発明を実施するための最良の形態に記載された対応要素または対応事項を示す。
【発明の効果】
【００１３】
本発明の請求項１に記載の壁収納ボックスによれば、ボックス本体と、当該ボックス本体を壁内に取付けた後に、その前面に取付ける蓋体とで構成しているので、まず、ボックス本体を壁内に取付け、壁面に壁紙を貼り付けた後に蓋体を取付けることができる。
従って、壁紙を貼付ける際に使用する接着剤や作業道具で蓋体（化粧枠および扉）を汚したり傷付けることがない。これに伴い、蓋体を取り換える必要がなく、また、交換によりビスが弛み、ボックス本体に強固に固定できないといった問題を解決することができる。
【００１４】
また、請求項２に記載の発明によれば、請求項１に記載の発明の作用効果に加えて、前記ボックス本体が、壁内の間柱に取付けられるものであるため、壁内に強固に取付けることができる。また、ボックス本体の前面は、壁面と略面一に設定されるものであるため、壁面からは蓋体のみがわずかに突出するに過ぎず、居住空間を狭めることがない。さらに、蓋体の四方端部で壁面を覆うので、壁面（壁紙）とボックス本体との境界部分を覆い隠すことができ、見栄えの向上を図ることができる。
【００１５】
請求項３に記載の壁収納ボックスの取付け方法によれば、まず、ボックス本体を、壁内に埋込んで取付け、壁面に壁紙を貼り付けた後、蓋体を、ボックス本体の前面に着脱自在に取付けるので、壁紙用の接着剤や作業道具で蓋体を汚したり傷付けてしまうといった問題を未然に防止することができる。
【００１６】
また、請求項４に記載の発明によれば、ボックス本体を、その前面が壁面と略面一となるように壁内の間柱に取付けるので、当該ボックス本体を壁内に強固に取付けることができる。また、蓋体のみが壁面から突出するので、居住空間を狭めることがない。さらに、蓋体の四方端部で壁紙を覆うので、壁紙とボックス本体との境界部分を覆い隠すことができ、外観性を高めることができる。
【００１７】
また、請求項５に記載の発明によれば、既に壁紙が貼り付けられた壁に開口穴を設け、その開口穴に、前面開口部を有するボックス本体を壁に埋めて取付け、ボックス本体の前面よりフランジ状に突出した蓋体を、その四方端部で壁紙を覆う状態で、前記ボックス本体の前面に着脱自在に取付けるので、開口穴を設ける際に壁紙が破れる等した場合であっても壁紙の端末は蓋体のフランジ部で覆われる。したがって、壁紙の端末処理をする必要はないので、リフォームなどのように事後的に壁収納ボックスを取付る必要が生じた場合であっても施工は極めて簡単である。また、ボックス本体に対してフランジ状に突出した蓋体は取替自在であるので色，模様，材質等様々なアレンジを施すことができる。
【発明を実施するための最良の形態】
【００１８】
図１乃至図５を参照して、本発明の実施形態に係る壁収納ボックス１０およびその取付け方法について説明する。図１は壁収納ボックス１０を示す斜視図であり、図２はその分解斜視図である。また、図３は特殊金具２０を示すもので、（ａ）は正面図、（ｂ）は平面図である。
【００１９】
本発明の実施形態に係る壁収納ボックス１０は、ボックス本体１１と蓋体１３で構成される。ボックス本体１１は、正四角筒形状（ボックス形状）で、建物の壁２内に設けられた二本の間柱１の間に支持材４を介して埋込式に取付けられ、その前面が開口され壁面２ａとほぼ面一になるように設定されている（図４、図５参照）。ボックス本体１１と支持材４との間にはわずかな隙間Ｇを設け、その隙間Ｇに、突っ張り力を作用させた後、ビスで固定するタイプの固定金具３０を設けて当該ボックス本体１１を支持材４を介して間柱１に固定している。
【００２０】
また、蓋体１３は、正四角形状のガラス扉１５の一方端部を、同じく正四角形で枠状の化粧枠１４の一方端部にヒンジ１６によって開閉自在に取付けて構成され、このガラス扉１５を開閉することにより、化粧枠１４の中央開口部を開閉する。この蓋体１３は、ボックス本体１１の前面に、四組の特殊金具２０によって着脱自在に取付けている。なお、特殊金具２０にかえて、樹脂や木質のダボにクサビを打つような仕様にすることも可能である。蓋体１３の大きさはボックス本体１１の前面部よりも大きく、フランジ状にボックス本体１１の前面から外側に突出するように取付けられる。なお、この蓋体１３の取付けは、ボックス本体１１を間柱１に取付け、その後、壁２を設け、その壁面２ａに壁紙３を貼付けた後に行う。ここではガラス扉１５を使用したが、扉であればよく、その材質は限定されるものではない。
【００２１】
特殊金具２０は、アンカー金具２１と係合金具２２で構成される。また、ボックス本体１１には、このアンカー金具２１の頭部２１ａが侵入する前孔部１２ａと、この前孔部１２ａに連通し、係合金具２２が侵入する横孔部１２ｂとからなる略Ｌ字状の接合孔１２を形成している。そして、アンカー金具２１のネジ部２１ｂを蓋体１３（化粧枠１４）の四隅後面に螺入して取付けた状態で、そのアンカー金具２１の頭部２１ａを前孔部１２ａに挿入し、その頭部２１ａに横孔部１２ｂから挿入した係合金具２２を回転させながら係合する。なお、この係合は、係合金具２２を逆方向に回転させ、頭部２１ａから取り除くことにより容易に解除することができる。これにより、蓋体１３をボックス本体１１に着脱自在に取付けることができる。
【００２２】
本実施形態に係る壁収納ボックス１０およびその取付け方法は、まず、ボックス本体１１を間柱１に取付け、その後、壁２を設けると共にその壁面２ａに壁紙３を貼り付けた後に、蓋体１３をボックス本体１１の前面に取付けることができる。
従って、壁紙３を貼付ける際に、その接着剤で蓋体１３を汚すことがない。また、貼付け時における作業道具で蓋体１３を傷付けることがない。
【００２３】
また、ボックス本体１１の前面を、壁面２ａとほぼ面一に設定した状態で取り付けているので、壁面２ａからは蓋体１３がわずかに突出するのみであり、よって、居住空間を狭めることがない。
【００２４】
なお、本実施形態における蓋体１３は、ボックス本体１１の前面より大きく、フランジ状に突出するように設定し、その四方端部で、ボックス本体１１と壁面２ａ（壁紙３）との境界部分を覆うようにしている。
従って、蓋体１３の四方端部で、ボックス本体１１と壁面２ａ（壁紙３）との境界部分を覆い隠すことができ、当該壁収納ボックス１０を設けたことにより壁面２ａの見栄えが低下するのを防止することができる。
【００２５】
上記実施形態では、ボックス本体１１の両側を支持材４を介して間柱１に取り付けているが、本発明はこうした手段に限定されるものではない。例えば、ボックス本体１１の上下両側に二本の梁部材５を横設し、その梁部材５間にボックス本体１１を取付けることができる（図６参照）。また、一本の梁部材５に取付けることもできる（図７参照）。
【００２６】
また、上記実施形態では、新築の場合のように、壁収納ボックス１０を壁２に埋設した後に壁紙３を貼るような施工について説明したが、リフォームなどのように、事後的に壁収納ボックス１０を取付ける必要が生じた場合には、以下のように、施工することができる。
すなわち、既に壁紙３が貼り付けられた壁２に、ボックス本体１１を嵌め込み可能な開口穴を設け、その開口穴にボックス本体１１を、壁２に埋め込んだ状態で取付けると共に、そのボックス本体１１の前面開口部を壁２から露出させ、蓋体１３を、ボックス本体１１の前面よりフランジ状に突出した状態で設定し、その四方端部で壁紙３を覆う状態で、ボックス本体１１の前面に着脱自在に取付ける。
【００２７】
これによれば、壁紙３が貼り付けられた壁２に開口穴を設け、その開口穴に、前面開口部を有するボックス本体１１を壁２に埋めて取付け、ボックス本体１１の前面よりフランジ状に突出した蓋体１３を、その四方端部で壁紙３を覆う状態で、ボックス本体１１の前面に着脱自在に取付けるので、開口穴を設ける際に壁紙３が破れる等した場合であっても壁紙３の端末は蓋体１３のフランジ部で覆われる。したがって、壁紙３の端末処理をする必要はないので、事後的に壁収納ボックス１０を取付る必要が生じた場合であっても施工は極めて簡単である。また、ボックス本体１１に対してフランジ状に突出した蓋体１３は取替自在であるので色，模様，材質等様々なアレンジを施すことができる。
【図面の簡単な説明】
【００２８】
【図１】本発明の実施形態に係る壁収納ボックスを示す斜視図である。
【図２】図１に示す壁収納ボックスの分解斜視図である。
【図３】図１に示す壁収納ボックスに使用する特殊金具を示すもので、（ａ）は正面図、（ｂ）は平面図である。
【図４】図１に示す壁収納ボックスの取付け状態を示す部分断面図である。
【図５】図１に示す壁収納ボックスの取付け状態を示す概略正面図である。
【図６】本発明に係る壁収納ボックスの他の取付状態を示す概略正面図である。
【図７】本発明に係る壁収納ボックスのさらに他の取付状態を示す概略正面図である。
【符号の説明】
【００２９】
１      間柱
２      壁
２ａ    壁面
３      壁紙
４      支持材
５      梁部材
１０      壁収納ボックス
１１      ボックス本体
１２      接合孔
１２ａ    前孔部
１２ｂ    横孔部
１３      蓋体
１４      化粧枠
１５      ガラス扉
１６      ヒンジ
２０      特殊金具
２１      アンカー金具
２１ａ    頭部
２１ｂ    ネジ部
２２      係合金具
３０      固定金具
Ｇ      隙間
【図１】
2005061153.tif 000003
【図２】
2005061153.tif 000004
【図３】
2005061153.tif 000005
【図４】
2005061153.tif 000006
【図５】
2005061153.tif 000007
【図６】
2005061153.tif 000008
【図７】
2005061153.tif 000009